(57)【要約】【課題】注射器において使用頻度の高いことから、二次感染の弊害が数多く発生しており、これを防ぐには一度使用した注射器を二度と使用させないことにあり、このために使い捨て注射器も考案されているが、高価であることと確実性の問題があり、本発明は、確実でローコストの自滅式注射器を提供する。【解決手段】破壊しやすいシリンダ本体２の中に、表面に多数個の環状突条５を持つピストン軸１１に硬質で鋭利な刃先１３を備えた爪付き係止具４を挟着している。ピストン本体３を挿入し、注射液を吸引するためピストン本体３を引くと爪付き係止具４はピストン本体３の先端近くに固定される。注射液を体内に注射することにより爪付き係止具４はピストン本体３と共にシリンダ本体２の先端近くに移動する。液を注入しようと再び戻そうとすると爪付き係止具４の鋭利な刃先１３がシリンダ本体２に刺さり更に強く引こうとするとシリンダ本体２が破壊される。【選択図】      図１
2004188148.tif 000002
【特許請求の範囲】
【請求項１】
シリンダ本体とピストン本体と爪付き係止具から成る注射器であって、該シリンダ本体とピストン本体との間に硬質で鋭利な刃先を持つ爪付き係止具が挟着され、ピストン軸の表面には環状突条を持ち先端には略凸状で円筒形の軟質材を嵌着することを特徴とする自滅式注射器。
【請求項２】
前記爪付き係止具は硬質の板材のものであり上部には爪を持ち爪の中には鋭利な刃先を備えるものがあることを特徴とする請求項１の自滅式注射器。
【請求項３】
前記ピストン軸表面の環状突条は断面鋸刃状を成すことを特徴とする請求項１の自滅式注射器。
【請求項４】
前記自滅式注射器は一度使用した後再度の使用を強要しようとするとシリンダ本体が破壊されることを特徴とする請求項１の自滅式注射器。
【発明の詳細な説明】
【０００１】
【発明の属する技術分野】
本発明は、医療機器の中でも使用頻度の高い注射器において、体内に液体を注射することから、一度使用した注射器をもって再度別の体内に注入することには問題が多いことから、再度の使用を不可能にした自滅式注射器。
【０００２】
【従来の技術】
注射器としては、かなり以前から各種のものが使用されており、使用の仕方も簡便になってきている。この簡便さからアルコールあるいは熱湯で殺菌する等をして同じ注射器を繰り返して人体あるいは動物に使用し諸種の事故が発生ししている。また、注射器の改良に多くの会社や機関が研究を続けているが、ＡＤ注射器のような環境汚染等の危険も出ている。また、殺菌、消毒等に万全を施しても注射器は問題視され、最近では、使い捨て注射器も考案されている。しかし、使い捨て注射器においても、注射器そのものは優れているものの高価にして使い捨てとして使用するには採算が取れないという流通上大きな難題を抱えている。
【０００３】
【発明が解決しようとする課題】
再度使用することができない注射器、即ち、使い捨て注射器において絶対に二度と使用できないことが重要であり、若し、改造等により再度の利用が可能であれば病原菌により他の患者に二次感染を引き起こす原因となり、このようなことを起こさせないために今後重要な課題として取り組まなければならない。従来一般的に使用されている注射器は二次感染の弊害のみならず、殺菌、消毒に時間がかかると共に殺菌、消毒による弊害もまた少なくないことから使い捨て注射器が考案されている。従来の使い捨て注射器には、注射針が使用できないようにシリンダ本体内部に引き込んでしまうというものもあり、綿密に考案され高度な技術力をもって設計されており機構としては敬服するものがある。しかし、生産ラインに乗せようとすると部品数が多く経費が掛かり、一度使用して捨てるには捨てがたいものもある。また、医療廃棄物として廃棄する際には、廃棄後環境に如何に安全であるかということと、医療廃棄物なるが故にどう減量するかという課題もあり、低コストと医療廃棄物としての減量化に、本発明が課題を解決するものである。
【０００４】
本発明は、以上の事情に鑑みて発明されたものであり、注射器により二次感染を引き起こすことなく、軽便で確実に注射液を体内に注入でき、しかも、比較的安価であり環境に優しい、シリンダ本体とピストン本体との間に爪付き係止具を用いて成る自滅式注射器を医療機関に提供することを目的とする。
【０００５】
【課題を解決するための手段】
本発明は、以上の目的を達成するために、請求項１は、シリンダ本体とピストン本体との間に爪付き係止具から成る注射器であって、該シリンダ本体とピストン本体との間には硬質で鋭利な刃先を持つ爪付き係止具が挟着され、ピストン軸の表面には多数個の環状突条を持ち先端には略凸状で円筒形の軟質材を嵌着することを特徴とする自滅式注射器であって、該自滅式注射器内に注射液を吸引することによりピストン本体は上昇し、注射液の吸引が終わると爪付き係止具もその位置に挟着され、押子を押し注射液を体内に注射するとピストン本体はシリンダ先端部の方向に下がり、その際に環状突条に挟着されている爪付き係止具も同様にシリンダ先端部方向に下がる。そこで、再度使用しようとして押圧部を上方向に引き抜こうとすると環状突条の刃先がシリンダ本体内部に刺さり込み停止し、それ以上力を加えて引き抜こうとするとシリンダ本体が破壊され注射器の機能を失ってしまう。一度本発明の自滅式注射器に注射液を注入し体内に注射することによりピストン本体が戻らないため針を取外し、シリンダ本体とピストン本体は地中に或いは可燃性廃棄物として処理でき環境に優しく経済的である。
【０００６】
また、請求項２の発明は、前記爪付き係止具が硬質で板状のものであり上部には爪を持ち爪の中には鋭利な刃先を備えるものがあることを特徴とする、爪付き係止具はシリンダ本体よりも硬質な板材を加工したものであり、該爪付き係止具の刃先がシリンダ本体壁に刺さり込んで摺動を停止する力を持っている。
【０００７】
また、請求項３の発明は、前記ピストン軸表面の環状突条には断面鋸刃状を成すことを特徴とし、該環状突条は三角錘の中間部を切り取った三角錐台状のものを連続的に積み重ねたような形の棒状をしており片側のみを見ると断面鋸の刃状ともいえる。また、爪付き係止具の爪が該環状突条と互いに作用して一方向にのみ移動するべく形状としている。
【０００８】
請求項４の前記自滅式注射器を一度使用した後再度の使用を強要しようとするとシリンダ本体が破壊されることを特徴とするもので、該シリンダ本体の材質は破壊力に弱く、これに対して爪付き係止具の持つ刃先はシリンダ本体よりも硬質な板状であり、爪付き係止具に強い力を加えるとシリンダ本体を破損してしまうもので、注射器として再度の使用を完全にくい止める重要な要因となっている。
【０００９】
【発明の実施の形態】
以下、自滅式注射器１の実施の形態を図面を参照して詳述する。図１は本発明の自滅式注射器１のシリンダ本体２からピストン本体３の部分を抜き出した状態を斜視図で表している。シリンダ本体２は透明で目盛があり（図示しない）手元側にはフランジ１０がありシリンダ先端部９は細くなっており、やがて注射針が取り付く一般的な注射器とあまり変わりはない。その内部に摺動可能にピストン本体３が挿入されており（図は抜き出して表示している）、該ピストン本体３にはピストン軸１１の表面に多数個の環状突状５を有し、先端のピストン取付部６には断面略凸状で円筒形の軟質材でできたピストン７が嵌着されている。また、ピストン本体３のピストン軸１１に形成されている環状突状５で押子８に最も近い部分に爪付き係止具４が挟着されている。図２は図３のピストン７のみを拡大し図示したものでピストン取付部６に嵌着しシリンダ本体２内に注射液の吸引、押出の際に圧力を掛ける部分である。図３は図１のピストン本体３の環状突状５とピストン取付部６が明解になるよう拡大したもの、環状突状５は三角錘台を連続的に積み重ね棒状にしたもので断面片側鋸の刃状ともいえ、その上を爪付き係止具４が一方向にのみ進行し逆方向には戻らないための重要な構造のとなっている。図４は爪付き係止具４の拡大図であり、ａは爪付き係止具４の斜視図、ｂは爪付係止具４の立面図で、図４では２枚の爪１２が内側を向きピストン軸１１の環状突状５に確実に挟着し、更に、２枚の爪１２は先端が鋭い刃先１３になっており、該爪付係止具４は図３の環状突条５に被いかぶさるように挟着している状態となっている。なお、爪付係止具４の材質は、粘質性で硬質のものでなければならないが、金属を使用する場合はステンレス３０４を用いると確実性が高くなる。
【００１０】
以上の説明から本発明の自滅式注射器１は前記実施の形態の構造のものに限らず、同一の技術的範囲の範疇にある全てのものが適用される。
【００１１】
【発明の効果】
１）本発明の請求項１の自滅式注射器によれば、シリンダ本体とピストン本体と環状突条と爪付係止具とにより、一往復のピストン本体の摺動において注射器の使用が完全に不可能になることから、所謂使い捨て注射器であっても廃棄されたものを再度使用されたり、一部分を分解して使用されたりする心配はなく、しかも、生分解の合成樹脂を使用することにより完全に地球の土となり、しかも、シリンダ本体においてもピストン本体においても決して高価な材質を用いることなく、針を除いては注射器として最低の原価で生産され、軽量にできることから輸送費もローコストででき、運送中に地上１メートルの高さからコンクリート面に繰り返して落下試験を行っても作動には全く影響しなかったという結果が出ており、正に現代の社会に適応した医療機器といえる。
２）爪付き係止具が硬質な板状のもので鋭利な刃先を持っていなければならないことから場合によっては金属板でもよいが廃棄物として処理することに細心の注意をしなければならない。再度の使用を防止するためには、本爪付き係止具の刃先がしっかりとシリンダ本体の内面に突き刺さることが最大の効果である。
３）環状突条は爪付き係止具の効果をもたらす基となっている。環状突条の片面の断面が鋸刃の形を成していることから環状突条の使用により、一方向のみの進行となるため、環状突条と協合して再利用をしっかりとくい止める基となっている。
４）本発明の自滅式注射器を使用して、一度使用したものを再度使用するべく強要するとシリンダ本体が破壊されるということは、シリンダ本体等において決して高価な材料を使用する必要はなく、注射液とピストンの圧力等に耐えることができればよい訳であり、破壊力に弱い材質のあることが目的に適うのであり、このことからも軽くて経済的な材質を選んでいる。
【図面の簡単な説明】
【図１】本発明の自滅式注射器の斜視図。
【図２】ピストンの平面図。
【図３】ピストン本体の平面図。
【図４】ａ  爪付き係止具の斜視図。ｂ  爪付き係止具の立面図。
【符号の説明】
１    自滅式注射器
２    シリンダ本体
３    ピストン本体
４    爪付き係止具
５    環状突条
６    ピストン取付部
７    ピストン
８    押子
９    シリンダ先端部
１０  フランジ
１１  ピストン軸
１２  爪
１３  刃先
【図１】
2004188148.tif 000003
【図２】
2004188148.tif 000004
【図３】
2004188148.tif 000005
【図４】
2004188148.tif 000006